(57)【要約】【課題】  本発明の目的は、光学ズーム機能を持つ撮像装置において、光学ズーム倍率を変えることで、開放Ｆ値が変わること、さらに電子ズーム機能を持つ撮像装置において、電子ズーム倍率を変えることで、使用するセンサ画素数が変わることを、アイコンを用いて分かり易く表示する撮像装置を提供すること。【解決手段】  光学式ズーム機能を備えた撮像装置において、光学式ズーム操作に基づく開放Ｆ値を取得する開放Ｆ値取得手段と、光学式ズーム操作に応じた開放Ｆ値を表示させる開放Ｆ値表示制御手段と、を備え、前記開放Ｆ値表示制御手段は、前記開放Ｆ値取得手段により取得した開放Ｆ値をアイコンの明るさによって表示すること、を特徴とする構成とした。【選択図】  図４
2013055433.tif 000002
【特許請求の範囲】
【請求項１】
光学式ズーム機能を備えた撮像装置において、
光学式ズーム操作及び絞り操作に基づくＦ値を取得するＦ値取得手段と、
光学式ズーム操作及び絞り操作に応じたＦ値を表示させるＦ値表示制御手段と、
を備え、
前記Ｆ値表示制御手段は、前記Ｆ値取得手段により取得したＦ値をアイコンの明るさによって表示すること、
を特徴とする撮像装置。
【請求項２】
光学式ズーム機能を備えた撮像装置において、
光学式ズーム操作に基づく開放Ｆ値を取得する開放Ｆ値取得手段と、
光学式ズーム操作に応じた開放Ｆ値を表示させる開放Ｆ値表示制御手段と、
を備え、
前記開放Ｆ値表示制御手段は、前記開放Ｆ値取得手段により取得した開放Ｆ値をアイコンの明るさによって表示すること、
を特徴とする撮像装置。
【請求項３】
電子ズーム機能を備えた撮像装置において、
電子ズーム操作に基づき、
撮影画像作成に使用したセンサ画素数を取得するセンサ画素数取得手段と、
電子ズーム操作に応じた前記センサ画素数を表示させるセンサ画素数表示制御手段と、
を備え、
前記センサ画素数表示制御手段は、前記センサ画素数取得手段により取得したセンサ画素数をアイコンを構成している画素の解像度によって表示すること、
を特徴とする撮像装置。
【請求項４】
光学式ズーム機能と電子ズーム機能とを備えた撮像装置において、
ズーム操作に基づくズーム倍率を取得するズーム倍率取得手段と、
ズーム操作に応じたズーム情報を表示させるズーム倍率表示制御手段と、
を備え、
前記ズーム倍率表示制御手段は、前記ズーム倍率取得手段により取得したズーム倍率をアイコンの大きさによって表示すること、
を特徴とする撮像装置。
【請求項５】
前記Ｆ値と、前記センサ画素数と、前記ズーム倍率とを、同一のアイコンによって表示すること、
を特徴とする請求項１、請求項３、請求項４の何れか１項に記載の撮像装置。
【請求項６】
前記開放Ｆ値と、前記センサ画素数と、前記ズーム倍率とを、同一のアイコンによって表示すること、
を特徴とする請求項２、請求項３、請求項４の何れか１項に記載の撮像装置。
【請求項７】
光学式ズーム機能を備えた撮像装置のコンピュータに、
光学式ズーム操作と絞り操作に基づくＦ値を取得するＦ値取得機能と、
光学式ズーム操作と絞り操作に応じたＦ値を表示させるＦ値表示制御機能と、
を備え、
前記Ｆ値表示制御機能は、前記Ｆ値取得機能により取得した開放Ｆ値をアイコンの明るさによって表示するためのＦ値表示プログラム。
【請求項８】
光学式ズーム機能を備えた撮像装置のコンピュータに、
光学式ズーム操作に基づく開放Ｆ値を取得する開放Ｆ値取得機能と、
光学式ズーム操作に応じた開放Ｆ値を表示させる開放Ｆ値表示制御機能と、
を備え、
前記開放Ｆ値表示制御機能は、前記開放Ｆ値取得機能により取得した開放Ｆ値をアイコンの明るさによって表示するための開放Ｆ値表示プログラム。
【請求項９】
電子ズーム機能を備えた撮像装置のコンピュータに、
電子ズーム操作に基づくセンサ画素数を取得するセンサ画素数取得機能と、
電子ズーム操作に応じたセンサ画素数を表示させるセンサ画素数表示制御機能と、
を備え、
前記センサ画素数表示制御機能は、前記センサ画素数取得機能により取得したセンサ画素数をアイコンの解像度によって表示するためのセンサ画素数表示プログラム。
【請求項１０】
光学式ズーム機能と電子ズーム機能とを備えた撮像装置のコンピュータに、
ズーム操作に基づくズーム倍率を取得するズーム倍率取得機能と、
ズーム操作に応じたズーム情報を表示させるズーム倍率表示制御機能と、
を備え、
前記ズーム倍率表示制御機能は、前記ズーム倍率取得機能により取得したズーム倍率をアイコンの大きさによって表示するためのズーム倍率表示プログラム。
【請求項１１】
光学式ズーム機能を備えた撮像装置におけるＦ値表示方法であって、
光学式ズーム操作と絞り操作に基づくＦ値を取得する第1のステップと、
光学式ズーム操作と絞り操作に応じたＦ値を表示させる第２のステップと、
を備え、
前記第２のステップは、前記第1のステップにより取得したＦ値をアイコンの明るさによって表示するステップを含む、
ことを特徴とするＦ値表示方法。
【請求項１２】
光学式ズーム機能を備えた撮像装置における開放Ｆ値表示方法であって、
光学式ズーム操作に基づく開放Ｆ値を取得する第1のステップと、
光学式ズーム操作に応じた開放Ｆ値を表示させる第２のステップと、
を備え、
前記第２のステップは、前記第１のステップにより取得した開放Ｆ値をアイコンの明るさによって表示するステップを含む、
ことを特徴とする開放Ｆ値表示方法。
【請求項１３】
電子ズーム機能を備えた撮像装置におけるセンサ画素数表示方法であって、
電子ズーム操作に基づくセンサ画素数を取得する第１のステップと、
電子ズーム操作に応じたセンサ画素数を表示させる第２のステップと、
を備え、
前記第２のステップは、前記第１のステップにより取得したセンサ画素数をアイコンの解像度によって表示するステップを含む、
ことを特徴とするセンサ画素数表示方法。
【請求項１４】
光学式ズーム機能と電子ズーム機能とを備えた撮像装置におけるズーム倍率表示方法であって、
ズーム操作に基づくズーム倍率を取得する第１のステップと、
ズーム操作に応じたズーム情報を表示させる第２のステップと、
を備え、
前記第２のステップは、前記第１のステップにより取得したズーム倍率をアイコンの大きさによって表示するステップを含む、
ことを特徴とするズーム倍率表示方法。
【発明の詳細な説明】
【技術分野】
【０００１】
本発明は、光学ズーム機能を有する撮像装置、及びそのズーム情報表示技術に関するものである。並びに、電子ズーム機能を有する撮像装置、及びその画質表示方法に関するものである。
【背景技術】
【０００２】
デジタルカメラ等の撮像装置では、所定のレンズの位置を変えることにより、撮影のための焦点距離や画角を変える光学ズーム機能と、撮像素子の画素エリアの一部を切り出し電子的に拡大してズーム効果を持たせる電子ズーム機能を備えたものがある。
【０００３】
光学ズーム機能は、所定のレンズ位置を制御することで変化するその焦点距離によりズーム倍率を制御している。また、電子ズーム機能は、取得した画像データを所定のサイズに切り取ることで画角を調整している。
【０００４】
このような撮像装置の従来例では、数値によるズーム倍率表示で現在のズーム倍率を示したり、光学ズームエリアと電子ズームエリアからなる棒グラフ内の移動ブロックの位置で倍率表示を視覚的に表示していた。また、ズーム倍率、記録画像画素数、Ｆ値を表示装置に表示し、ユーザーはこれらの表示を見て、現在のズーム倍率と記録画像画素数とＦ値を認識してきた。
【０００５】
しかしながら、従来のズームバーでは、現在のズーム倍率がどの程度なのかがイメージしづらい。また、記録画素数やＦ値を数値で見ても理解できないユーザーに対しては、これらの状態を感覚的に伝えることが難しかった。従って、現状のカメラ状態を把握することができず、思い通りの画角を設定できなかったり、撮影画像生成に使用するセンサ画素数が意に反して減ってしまったり、レンズが暗くなることで撮影画像がブレたりしていた。そのため、現状のカメラ状態をユーザーが感覚的に把握するのに適した表示方法が求められている。
【０００６】
例えば、特許文献１では、電子ズームにより劣化した画像を補間した場合のズーム情報及び画質表示方法が提案されている。補間済の記録画像の画素数と、電子ズームにより切り出した画像の画素数と、光学ズームと電子ズームを含めたズーム倍率を表している。
【０００７】
特許文献２では、電子ズーム時の画素サイズを、表示装置に表示している。例えば１０Ｍサイズであれば"１０"、画素数で表示"２５６０×１９２０"、適した写真サイズ"２Ｌサイズ"等、数種類の表示方法が提案されている。
【先行技術文献】
【特許文献】
【０００８】
【特許文献１】特開２００８-６１１４８号公報
【特許文献２】特開２００６-２８７２７６号公報
【発明の概要】
【発明が解決しようとする課題】
【０００９】
しかしながら、特許文献１では、電子ズームにより劣化した画像を補間した場合のズーム情報や画質表示方法がユーザーに示されているが、ズームバーや数値を用いて表現するだけでは、撮影経験の少ないユーザーにうまく伝わらない場合がある。また特許文献２では、電子ズームの画素サイズを表示装置に表示しているが、数値や写真サイズで記載されているため、撮影経験の少ないユーザーにはうまく伝わらない場合がある。このように、撮影経験が少ないユーザーは、ズーム倍率、Ｆ値、センサ画素数を数値で表示されても理解することができない。また、光学ズーム倍率を変えることによって開放F値が変わること、電子ズームを変えることによってセンサ画素数が変わることを数値ではなく、図や記号でユーザーに伝える手段が従来例では無かった。
【００１０】
そこで、本発明の目的は、光学ズーム機能を持つ撮像装置において、光学ズーム倍率を変えることで、Ｆ値が変わること、さらに電子ズーム機能を持つ撮像装置において、電子ズーム倍率を変えることで、使用するセンサ画素数が変わることを、アイコンを用いて分かり易く表示することである。
【課題を解決するための手段】
【００１１】
上記目的を達成するために、本発明は、
光学式ズーム機能を備えた撮像装置において、
光学式ズーム操作に基づくＦ値を取得するＦ値取得手段と、
光学式ズーム操作に応じたＦ値を表示させるＦ値表示制御手段と、
を備え、
前記開放Ｆ値表示制御手段は、前記Ｆ値取得手段により取得したＦ値をアイコンの明るさによって表示すること、
を特徴とする。
また、本発明のその他の特徴とするところは
電子ズーム機能を備えた撮像装置において、
電子ズーム操作に基づくセンサ画素数を取得するセンサ画素数取得手段と、
電子ズーム操作に応じたセンサ画素数を表示させるセンサ画素数表示制御手段と、
を備え、
前記センサ画素数表示制御手段は、前記センサ画素数取得手段により取得したセンサ画素数をアイコンの解像度によって表示すること、
を特徴とする。
また、本発明のその他の特徴とするところは
光学式ズーム機能と電子ズーム機能とを備えた撮像装置において、
ズーム操作に基づくズーム倍率を取得するズーム倍率取得手段と、
ズーム操作に応じたズーム情報を表示させるズーム倍率表示制御手段と、
を備え、
前記ズーム倍率表示制御手段は、前記ズーム倍率取得手段により取得したズーム倍率をアイコンの大きさによって表示すること、
を特徴とする。
【発明の効果】
【００１２】
本発明によれば、光学ズーム機能を持つ撮像装置において、光学ズーム倍率を変えることで、開放Ｆ値が変わること、さらに電子ズーム機能を持つ撮像装置において、電子ズーム倍率を変えることで、使用するセンサ画素数が変わることを、アイコンを用いて分かり易く表示する撮像装置を提供することができる。
【図面の簡単な説明】
【００１３】
【図１】本発明による撮像装置の実施形態を示す図である。
【図２】撮像装置の撮影時の制御動作例を示すフローチャートである。
【図３】本発明による撮像装置の、アイコン表示箇所の一例を示す図である。
【図４】ズーム倍率変更時のアイコン形状の変化例を説明する図である。
【図５】ズーム倍率変更時に、アイコン表示面積を変化させることでズーム倍率を表現する一例を示す図である。
【図６】Ｆ値変更時に、アイコンの明るさによってＦ値を表現する一例を示す図である。
【図７】従来のズームバーにおける、各ズームポジションでの開放Ｆ値の表示方法を示す図である。
【図８】撮影画像作成時に使用するセンサ画素数をアイコンの解像度を変化させることで表現する一例を示す図である。
【発明を実施するための形態】
【００１４】
［実施例１］
以下に、本発明の好ましい実施の形態を、添付の図面に基づいて詳細に説明する。
なお、以下に示す各図は、模式的に示した図であり、各部の大きさ、形状は、理解を容易にするために、適宜誇張して示している。
【００１５】
また、以下の説明では、具体的な数値、構成、動作等を示して説明を行うが、これらは、適宜変更することができる。
【００１６】
図１は、本発明の実施形態にかかわる撮像装置の構成を示す図である。
【００１７】
撮像装置１００は、デジタルカメラやデジタルビデオカメラ等であり、撮影レンズ１０により得られる被写体像を撮像素子１４の撮像面に結像させて撮像する。
【００１８】
撮影レンズ１０は、不図示の複数のレンズからなり、焦点距離を変更するズーム機構と、焦点位置を移動させるフォーカス機構とを有している。
【００１９】
撮影レンズ１０と撮像素子１４との間には、絞り機能を備えるシャッタ１２が設けられている。
【００２０】
撮像素子１４は、光学像を電気信号に変換する光電変換手段である。本実施形態の撮像素子１４は、ＣＭＯＳ（Complementary Metal Oxide Semiconductor）イメージセンサを用いている。なお、撮像素子としては、ＣＣＤ（Charge Coupled Device）イメージセンサ等、他のタイプのイメージセンサでもよい。
【００２１】
Ａ／Ｄ変換器１６は、撮像素子１４のアナログ信号出力をデジタル信号に変換する。
【００２２】
タイミング発生回路１８は、撮像素子１４、Ａ／Ｄ変換器１６、Ｄ／Ａ変換器２６にクロック信号や制御信号を供給する。また、タイミング発生回路１８は、メモリ制御回路２２及びシステム制御回路５０により制御される。
【００２３】
画像処理回路２０は、Ａ／Ｄ変換器１６からのデータ又はメモリ制御回路２２からのデータに対して所定の画素補間処理や色変換処理を行う。また、画像処理回路２０によって画像の切り出し、拡大処理を行うことで電子ズーム機能が実現される。さらに、画像処理回路２０は、撮像した画像データを用いて所定の演算処理を行う。この演算処理により得られた演算結果に基づいてシステム制御回路５０が露光制御手段４０、フォーカス制御手段４２に対して制御を行う。例えば、システム制御回路５０は、ＴＴＬ（スルー・ザ・レンズ）方式のＡＦ（オートフォーカス）処理、ＡＥ（自動露出）処理、ＥＦ（フラッシュプリ発光）処理を行っている。メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２４】
Ａ／Ｄ変換器１６が出力したデジタルデータは、画像処理回路２０、メモリ制御回路２２を介して、又は、Ａ／Ｄ変換器１６から直接メモリ制御回路２２を介して、画像表示メモリ２４又はメモリ３０に書き込まれる。
【００２５】
画像表示部２８は、コレステリック液晶やＴＦＴ−ＬＣＤ（Thin Film Transistor-Liquid Crystal Display）から成り、画像表示メモリ２４に書き込まれた表示用の画像データをＤ／Ａ変換器２６を介して表示する。
【００２６】
画像表示部２８を用いて撮像した画像データを逐次表示すれば、電子ファインダ機能を実現することが可能である。
【００２７】
メモリ３０は、撮影した静止画像や動画像を格納する記憶部であり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０は、システム制御回路５０の作業領域としても使用することが可能である。
【００２８】
圧縮・伸長回路３２は、適応離散コサイン変換（ＡＤＣＴ：Adaptive Discrete Cosine Transform）等により画像データの圧縮伸長を行う。圧縮・伸長回路３２は、メモリ３０に格納された画像を読み込んで圧縮処理又は伸長処理を行い、処理を終えたデータをメモリ３０に書き込む。
【００２９】
露光制御手段４０は、シャッタ１２を制御し、撮像した画像データを画像処理回路２０で所定の演算を行い、得られた演算結果に基づいて、ＡＥ（自動露出）処理を行っている。また、露光制御手段４０は、フラッシュ４８と連携してフラッシュ４８の調光を行うフラッシュ調光機能も有する。
【００３０】
フォーカス制御手段４２は、システム制御回路５０を介して撮影レンズ１０のフォーカシング動作を制御する。
【００３１】
これら露光制御手段４０及びフォーカス制御手段４２は、ＴＴＬ方式を用いて制御されている。すなわち、撮影光学系を介して撮像した画像データを画像処理回路２０によって演算した演算結果に基づき、システム制御回路５０が露光制御手段４０、フォーカス制御手段４２に対して制御を行う。
【００３２】
ズーム制御手段４４は、撮影レンズ１０のズーミングを制御する。
【００３３】
フラッシュ４８は、暗い場所などで光量を補うために発光を行う閃光発光部であり、ＡＦ補助光の投光機能、フラッシュ調光機能も有する。
【００３４】
システム制御回路５０は、撮像装置１００全体を制御する制御部である。
【００３５】
メモリ５２は、システム制御回路５０の動作用の定数、変数、プログラム等を記憶する。
【００３６】
表示部５４は、システム制御回路５０でのプログラムの実行に応じて、文字、画像、音声等を用いて動作状態やメッセージ等を表示する。表示部５４は、撮像装置１００の操作部近辺の視認し易い位置に単数又は複数設置され、例えばＬＣＤ（Liquid Crystal Display）やＬＥＤ（Light Emitting Diode）、発音素子等の組み合わせにより構成されている。
【００３７】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタスピード表示、絞り値表示、露出補正表示等がある。また、フラッシュ表示、赤目緩和表示、マクロ撮影表示、ブザー設定表示、時計用電池残量表示、電池残量表示、エラー表示、複数桁の数字による情報表示、記録媒体１５０及び２１０の着脱状態表示、通信Ｉ／Ｆ動作表示、日付・時刻表示等もＬＣＤ等に表示する。
【００３８】
表示部５４はＬＣＤ等であれば、画像表示部２８と共用することも可能である。
【００３９】
不揮発性メモリ５６は、電気的に消去・記録可能な不揮発性記憶手段であり、例えばＥＥＰＲＯＭ（Electrically Erasable Programmable ROM）等が用いられる。
【００４０】
モードダイアルスイッチ６０、シャッタスイッチ６２，６４及び操作部７０は、システム制御回路５０の各種の動作指示を入力するための操作手段である。これらは、スイッチやダイアル、タッチパネル、視線検知によるポインティング、音声認識装置等の単数又は複数の組み合わせで構成される。
【００４１】
ここで、これらの操作手段の具体的な説明を行う。
【００４２】
モードダイアルスイッチ６０は、電源オフ、自動撮影モード、撮影モード、パノラマ撮影モード、再生モード、マルチ画面再生・消去モード、ＰＣ接続モード等の各機能モードを切り替え設定するときに操作される。
【００４３】
シャッタスイッチ６２は、不図示のシャッターボタンの操作途中のいわゆる半押し状態でＯＮとなるスイッチ（ＳＷ１）である。シャッタスイッチ６２（ＳＷ１）がＯＮすることにより、ＡＦ（オートフォーカス）処理、ＡＥ（自動露出）処理、ＡＷＢ（オートホワイトバランス）処理、ＥＦ（フラッシュプリ発光）処理等の動作開始をシステム制御回路５０が指示する。
【００４４】
シャッタスイッチ６４は、不図示のシャッターボタンの操作完了のいわゆる全押し状態でＯＮとなるスイッチ（ＳＷ２）である。シャッタスイッチ６４（ＳＷ２）がＯＮすることにより、システム制御回路５０が露光処理、現像処理、記録処理という一連の処理の動作開始を指示する。
【００４５】
この露光処理では、撮像素子１４から読み出した信号をＡ／Ｄ変換器１６、メモリ制御回路２２を介してメモリ３０に画像データを書き込む。
【００４６】
また、現像処理では、画像処理回路２０やメモリ制御回路２２での演算を行う。
【００４７】
さらに、記録処理では、メモリ３０から画像データを読み出し、圧縮・伸長回路３２で圧縮を行い、記録媒体１５０に画像データを書き込む。
【００４８】
操作部７０は、各種ボタンやタッチパネル等からなり、メニューボタン、セットボタン、マクロボタン、マルチ画面再生改ページボタン、フラッシュ設定ボタン、単写／連写／セルフタイマー切り替えボタン等の機能を持つ。また、操作部７０は、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等の機能を持つ。さらに、操作部７０は、プリント出力ボタン、記録ボタン、ズームレバー（望遠・広角）、十字ボタン（上、下、左、右）、カーソル表示ボタン等の機能も持っている。
【００４９】
電源制御手段８０は、電池検出回路、ＤＣ−ＤＣコンバータ、通電するブロックを切り替えるスイッチ回路等により構成されている。
【００５０】
コネクタ８２は、撮像装置１００の内部と電池収容部に収容された電池又はＡＣアダプター等の電源８６とを接続する。
【００５１】
電源８６は、アルカリ電池やリチウム電池等の一次電池やＮｉＣｄ電池やＮｉＭＨ電池、Ｌｉ電池等の二次電池、ＡＣアダプター等である。
【００５２】
インタフェース１５４は、記録媒体１５０との接続を仲介する。コネクタ９２は、記録媒体１５０との接続を行う。記録媒体１５０は、メモリカードやハードディスク等である。
【００５３】
マイク１６１は、音声の録音に用いる。スピーカ１６２は、録音された音声もしくは予め格納された音声を再生する。音声Ａ／Ｄ・Ｄ／Ａ変換部１６０は、マイク１６１から入力された音声を撮像装置に適したレベルと形式にＡ／Ｄ変換して送出し、出力された音声データをＤ／Ａ変換してスピーカ１６２に送出する。
【００５４】
図２は、撮像装置の撮影時の制御動作例を示すフローチャートである。
【００５５】
図２において、本処理はシステム制御回路５０がプログラムに基づき実行する。初期設定で撮影条件を設定した後（ステップＳ２０１）、ＬＣＤ等の表示装置５４に撮影画像をリアルタイム表示（ステップＳ２０２）する。
【００５６】
その後、光学式ズーム操作がされたかを検出し、光学式ズーム操作がされなかった場合は、ステップＳ２０６に移動する。光学式ズーム操作がされた場合は、光学式ズーム操作によって指定される光学式ズーム倍率情報を取得(ステップＳ２０４)し、取得した光学式ズーム倍率に対応する開放Ｆ値を不揮発性メモリから読み出す(ステップＳ２０５)。
【００５７】
その後、電子ズーム操作がされたかを検出し、電子ズーム操作がされなかった場合は、ステップＳ２０９に移動する(ステップＳ２０６)。電子ズーム操作がされた場合は、電子ズーム操作によって指定される電子ズーム倍率情報を取得(ステップＳ２０７)し、取得した電子ズーム倍率に対応するセンサ画素数を不揮発性メモリから読み出す(ステップＳ２０８)。
【００５８】
その後、絞り操作がされたかを検出し、絞り操作がされなかった場合は、ステップＳ２１１に移動する(ステップＳ２０９)。絞り操作がされた場合は、絞り操作によって指定されるＦ値を取得する(ステップＳ２１０)。
【００５９】
ここまでに得られた情報を、以降のステップでアイコンに表示する。ステップＳ２０４にて取得した光学式ズーム倍率と、ステップＳ２０７にて取得した電子ズーム倍率を合わせたズーム倍率をアイコンの大きさを用いて表示する（ステップ２１１）。次にステップＳ２０５にて取得した開放Ｆ値、もしくはステップＳ２１０にて取得したＦ値をアイコンの明るさ用いて表示する（ステップ２１２）。さらに、ステップＳ２０８にて取得したセンサ画素数をアイコンの解像度を用いて表示する（ステップ２１３）。
【００６０】
スルー表示中に一連のアイコン表示を行いつつ、シャッターボタンを半押しすることによって合焦指示(ステップＳ２１４)が行われた場合には、自動合焦処理いわゆるＡＦを実施(ステップＳ２１５)する。シャッターボタンを全押しすることにより、撮影指示（ステップ２１６）が出た場合は、撮影、記録処理（ステップ２１７）を実施する。
【００６１】
次に、上記構成を有する本実施形態の撮像装置のズーム倍率、開放Ｆ値もしくはＦ値、センサ画素数を表示するためのアイコンを表示する位置について図３に基づき説明する。本体１００の表示装置２８上に、アイコン３００を表示する。アイコン３００は表示装置２８の周辺部もしくは隅に表示する。画面中央部に表示することにより被写体が隠れてしまうのを防ぐのが目的である。
【００６２】
図４は、ズーム倍率を変えたときのアイコン３００の表示例である。ズーム倍率表示アイコンは、ユーザーが直感的にカメラの現在の状態を把握するために、アイコンの大きさでズーム倍率を表し、アイコンを構成している画素の解像度によって、撮影画像を作成するためのセンサ画素数を表し、アイコンの明るさで開放Ｆ値もしくはＦ値を表す。
【００６３】
例えば、撮像装置を起動したときのレンズの初期状態のアイコン表示を４００とする。図４では開放絞り状態と仮定して話を進める。光学式ズームをＴＥＬＥ端の状態にすると、ズーム倍率が上がり、開放Ｆ値が大きくなるため、４０１のようにアイコンの大きさを大きくし、アイコンの明るさを暗くする。光学式ズームがＴＥＬＥ端の状態でさらに電子ズームを行うと、ズーム倍率が上がり、撮影画像を作成するために使用するセンサ画素数が下がるが、開放Ｆ値は変わらないため、４０２のようにアイコンの大きさをさらに大きくし、アイコンを構成している画素の解像度を下げる。一方、アイコン４００の状態から光学ズームは動かさずに、電子ズームを拡大をした場合には、ズーム倍率が上がり、センサ画素数が下がるため、４０３のようにアイコンの大きさを大きくし、アイコンの解像度を下げる。開放Ｆ値は変わらないため、アイコンの明るさは変わらない。４０３の状態からさらに電子ズームを行うと、ズーム倍率が上がり、解像度が下がるが、開放Ｆ値は変わらないため、４０４のようなアイコンになる。絞りを使用する場合には、その都度絞りの状態を確認し、アイコンの明るさに反映させる。
【００６４】
図５は、アイコン３００のズーム倍率の表示例である。図３の表示装置２８のうち、アイコン３００を表示できる領域を決め、その直径最大値をＤとする。つまり光学式ズームをＴＥＬＥ端の状態にし、かつ電子ズームもＴＥＬＥ端にした状態のアイコンの直径をＤとする。光学式ズームをＴＥＬＥ端の状態にし、電子ズームもＴＥＬＥ端にした状態のズーム倍率をＭとする。撮像装置１００の現在のズーム倍率をｍとすると、ズーム倍率がｍの時に表示装置２８に表示するズーム表示アイコンの直径ｄは、式（１）で表わされる。
【００６５】
ｄ = ｍ ＊ Ｄ ／ Ｍ     (１）
現在のズーム倍率ｍは、"現在のレンズ焦点距離"を"レンズ焦点距離の最小値"で割ったものに言い換えることができる。ズーム表示アイコンだけでは、今の大きさがどのズーム倍率の位置を示しているのかが把握できないため、光学式ズームがＷＩＤＥ端かつ電子ズームを使用していない図５（ａ）の状態のズーム表示アイコンの大きさを常時点線で表示させる。同様に、光学式ズームがＴＥＬＥ端かつ電子ズームを使用していない（ｂ）の状態と、光学式ズームがＴＥＬＥ端かつ電子ズームもＴＥＬＥ端である（ｃ）の状態のズーム表示アイコンの大きさも常時点線で表示させる。
【００６６】
図６は、アイコン３００の開放Ｆ値、またはＦ値の表示例である。撮像装置１００が実現できるＦ値（通常はＷＩＤＥ端の開放Ｆ値）を白で表現する。Ｆ値が１段大きくなるごとに光量は半分になるので、アイコンの色は次式のように表現する。撮像装置１００の最小Ｆ値を"ｆｍｉｎ"、表示装置２８に表示するアイコンの白(ｅｘ．２５５／２５５) をＷと表現する。最小Ｆ値に対して、Ｆ値が一段大きくなった場合は、光量が半分になるためＷ／２（ｅｘ．１２７／２５５） の階調で表現する。現在のＦ値を"ｆ"とすると、現状のＦ値を反映させたアイコンの色"ｃ"は式（２）で表現することができる。
【００６７】
ｃ = (Ｗ ×ｆｍｉｎ＾２) / (ｆ＾２) （２）
予め光学式ズーム倍率と開放Ｆ値を関連づけておいたＬｏｏｋｕｐ  ｔａｂｌｅを作成し、ＲＯＭに記録しておく。そして、現在の光学式ズーム倍率取得した後に、ＲＯＭ内部のＬｏｏｋｕｐ  ｔａｂｌｅを読み取ることで開放Ｆ値を取得することができる。 
【００６８】
図７は従来のズームバーにおける、各ズームポジションでの開放Ｆ値を表している。開放Ｆ値はズームポジションによって一意的に決められる。図７のようにズームバーにレンズの明るさを記載することによって、ズームポジションによって開放Ｆ値が変わることをユーザーに知らせることができる。
【００６９】
図８は、撮影画像を作成するために使用するセンサ画素数をアイコン３００で表示した場合の表示例である。撮像装置１００の最大センサ画素数をＰとする。最大センサ画素数Ｐの時の、アイコン３００を構成している画素の解像度を、ＰＩＣＯＮとする。現在のセンサ画素数をｐ、現状のアイコン解像度をｐｉｃｏｎとすると、現状のアイコン解像度は以下の式で表わすことができる。
【００７０】
ｐiｃｏｎ＝ＰＩＣＯＮ／（ Ｐ / ｐ ) （３）
図８のは、一例として最大センサ画素数Ｐ＝１６００万の場合を示している。現在のセンサ画素数ｐ＝１６００万の場合はａ）のように３２×３２の解像度でアイコン３００を表現する。現在のセンサ画素数ｐ＝４００万の場合はｂ）のように１６×１６の解像度でアイコン３００を表現する。現在のセンサ画素数ｐ＝１００万の場合はｃ）のように８×８の解像度でアイコン３００を表現する。現在のセンサ画素数ｐ＝２５万の場合はｄ）のように４×４の解像度でアイコン３００を表現する。
【符号の説明】
【００７１】
２８    表示部
１００  撮像装置
３００  アイコン
４００  光学ズームＷＩＤＥ端のアイコン
４０１  光学ズームＴＥＬＥ端のアイコン
４０２  光学ズームＴＥＬＥ端かつ電子ズームを拡大したときのアイコン
４０３  光学ズームＷＩＤＥ端かつ電子ズームを拡大した時のアイコン
４０４  ４０３の状態からさらに電子ズームを拡大した時のアイコン
【図１】
2013055433.tif 000003
【図２】
2013055433.tif 000004
【図３】
2013055433.tif 000005
【図４】
2013055433.tif 000006
【図５】
2013055433.tif 000007
【図６】
2013055433.tif 000008
【図７】
2013055433.tif 000009
【図８】
2013055433.tif 000010